【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
アクセス・ポイントにおけるワイヤレス通信のための方法であって、
前記アクセス・ポイントからデータを受信すべき複数の局を識別することと、
前記識別された複数の局に前記データを送信するためにダウンリンク・フレームを生成することと、前記ダウンリンク・フレームは、前記識別された複数の局に向けられる第１のシグナリング・フィールドおよび第２のシグナリング・フィールドを備え、前記第１のシグナリング・フィールドは、第１のセグメントおよび第２のセグメントを備え、前記第１のセグメントは、前記識別された複数の局の各々に共通の情報を備え、前記第２のセグメントは、前記識別された複数の局のうちの少なくとも１つの局に関する情報ブロックを備え、前記少なくとも１つの局に関する前記情報ブロックは、前記第１のセグメントから別個にエンコードされ、前記第２のシグナリング・フィールドは、帯域幅情報を含む情報ブロックを備え、前記情報ブロックは、前記第１のシグナリング・フィールドの情報から別個にエンコードされた前記帯域幅情報を含む、
前記識別された複数の局に前記ダウンリンク・フレームを送信することと、
を備える、方法。
【請求項２】
前記識別された複数の局の各々に共通の前記情報を複製することと、
共有無線周波数スペクトル帯域の複数のサブバンドのうちの少なくとも２つのサブバンドにおいて前記複製された情報を送信することと、
をさらに備える、請求項１に記載の方法。
【請求項３】
共有無線周波数スペクトル帯域の複数のサブバンドのうちの１つのサブバンドにおいて前記別個にエンコードされた情報ブロックと追加の別個にエンコードされた情報ブロックとを含む前記ダウンリンク・フレームを送信することをさらに備える、請求項１に記載の方法。
【請求項４】
前記ダウンリンク・フレームは、データ・フィールドを備え、前記方法は、
前記データ・フィールドにおいて前記識別された複数の局の各々に対してデータを含む前記ダウンリンク・フレームを送信することをさらに備え、ここにおいて、前記別個にエンコードされた情報ブロックおよび前記データは、共有無線周波数スペクトル帯域の複数のサブバンドのうちの同じサブバンドにおいて送信される、請求項１に記載の方法。
【請求項５】
前記シグナリング・フィールドは、ワイヤレス・ローカル・エリア・ネットワーク（ＷＬＡＮ）シグナリング・フィールドである、請求項１に記載の方法。
【請求項６】
前記第２のシグナリング・フィールドおよび前記第１のシグナリング・フィールドの前記第１のセグメントの各々において同じ遅延拡散保護メカニズムを使用することをさらに備える、請求項１に記載の方法。
【請求項７】
前記同じ遅延拡散保護メカニズムは、時間領域反復、または周波数領域反復、またはそれらの組み合わせを備える、請求項６に記載の方法。
【請求項８】
前記第１のシグナリング・フィールドの前記第１のセグメントにおいて遅延拡散保護メカニズムの使用を、前記ダウンリンク・フレームのレガシ・シグナリング情報において、指示することをさらに備える、請求項１に記載の方法。
【請求項９】
前記第１のシグナリング・フィールドの１つの直交周波数分割多重（ＯＦＤＭ）シンボル内で前記別個にエンコードされた情報ブロックを送信することをさらに備える、請求項１に記載の方法。
【請求項１０】
共有無線周波数スペクトル帯域の複数のサブバンドのうちの１つのサブバンドにおいて前記別個にエンコードされた情報ブロックを送信することをさらに備える、請求項９に記載の方法。
【請求項１１】
前記複数のサブバンドのうちの各サブバンドは、２０メガヘルツ（ＭＨｚ）の帯域幅を有する、請求項１０に記載の方法。
【請求項１２】
前記第２のセグメントは、前記識別された複数の局のうちの少なくとも別の局に関する追加の別個にエンコードされた情報ブロックを備え、前記方法は、
前記１つのＯＦＤＭシンボルにおいて、前記１つのサブバンドにおいて前記追加の別個にエンコードされた情報ブロックを送信することをさらに備える、請求項１０に記載の方法。
【請求項１３】
前記少なくとも１つの局に関する前記別個にエンコードされた情報ブロックを第１の直交周波数分割多重（ＯＦＤＭ）シンボルにマッピングすることと、
第２の局に関する第２の別個にエンコードされた情報ブロックを第２のＯＦＤＭシンボルにマッピングすることと、前記第２のＯＦＤＭシンボルは、前記第１のＯＦＤＭシンボルに関連付けされた変調および符号化スキーム（ＭＣＳ）とは異なるＭＣＳに関連付けされる、
をさらに備える、請求項１に記載の方法。
【請求項１４】
共有無線周波数スペクトル帯域の複数のサブバンドのうちの１つのサブバンドにおいて前記別個にエンコードされた情報ブロックを、および前記複数のサブバンドのうちの別のサブバンドにおいて前記第２の別個にエンコードされた情報ブロックを送信することをさらに備える、請求項１３に記載の方法。
【請求項１５】
前記別個にエンコードされた情報ブロックは、第１のサブバンドにおいて送信され、前記方法は、
第３の局に関する第３の別個にエンコードされた情報ブロックを、前記第１のＯＦＤＭシンボルおよび前記複数のサブバンドのうちの前記第１のサブバンドにマッピングすることをさらに備える、請求項１３に記載の方法。
【請求項１６】
前記第１のシグナリング・フィールドの前記第２のセグメントにおいて前記別個にエンコードされた情報ブロックを保護するために遅延拡散保護メカニズムを使用することをさらに備える、請求項１に記載の方法。
【請求項１７】
前記遅延拡散保護メカニズムは、周波数領域反復、または延長されたガード・インターバル（ＧＩ）、またはそれらの組み合わせを備える、請求項１６に記載の方法。
【請求項１８】
前記帯域幅情報は、前記少なくとも１つの局を対象とした前記第１のシグナリング・フィールドにおいて前記別個にエンコードされた情報ブロックを識別するために前記識別された複数の局のうちの前記少なくとも１つの局によって使用可能である、請求項１に記載の方法。
【請求項１９】
前記第２のシグナリング・フィールドは、前記識別された複数の局以外の局によって使用可能である情報を備える、請求項１に記載の方法。
【請求項２０】
前記別個にエンコードされた情報ブロックを復号するために前記識別された複数の局のうちの前記少なくとも１つの局によって使用可能である情報を、前記第１のシグナリング・フィールドの前記第１のセグメントにおいて送信することをさらに備える、請求項１に記載の方法。
【請求項２１】
前記第１のシグナリング・フィールドの前記第１のセグメント、または前記第１のシグナリング・フィールドの前記第２のセグメント、または前記ダウンリンク・フレームの前記第２のシグナリング・フィールド、またはそれらの組み合わせにおいてテール・バイティング畳み込み符号化を使用することをさらに備える、請求項１に記載の方法。
【請求項２２】
アクセス・ポイントにおけるワイヤレス通信のための装置であって、
前記アクセス・ポイントからデータを受信すべき複数の局を識別するための手段と、
前記識別された複数の局に前記データを送信するためにダウンリンク・フレームを生成するための手段と、前記ダウンリンク・フレームは、前記識別された複数の局に向けられる第１のシグナリング・フィールドおよび第２のシグナリング・フィールドを備え、前記第１のシグナリング・フィールドは、第１のセグメントおよび第２のセグメントを備え、前記第１のセグメントは、前記識別された複数の局の各々に共通の情報を備え、前記第２のセグメントは、前記識別された複数の局のうちの少なくとも１つの局に関する情報ブロックを備え、前記少なくとも１つの局に関する前記情報ブロックは、前記第１のセグメントから別個にエンコードされ、前記第２のシグナリング・フィールドは、帯域幅情報を含む情報ブロックを備え、前記情報ブロックは、前記第１のシグナリング・フィールドの情報から別個にエンコードされた前記帯域幅情報を含む、
前記識別された複数の局に前記ダウンリンク・フレームを送信するための手段と、
備える、装置。
【請求項２３】
前記シグナリング・フィールドは、ワイヤレス・ローカル・エリア・ネットワーク（ＷＬＡＮ）シグナリング・フィールドである、請求項２２に記載の装置。
【請求項２４】
前記識別された複数の局の各々に共通の前記情報を複製するための手段と、
共有無線周波数スペクトル帯域の複数のサブバンドのうちの少なくとも２つのサブバンドにおいて前記複製された情報を送信するための手段と、
をさらに備える、請求項２２に記載の装置。
【請求項２５】
共有無線周波数スペクトル帯域の１つのサブバンドにおいて前記別個にエンコードされた情報ブロックと追加の別個にエンコードされた情報ブロックとを含む前記ダウンリンク・フレームを送信するための手段をさらに備える、請求項２２に記載の装置。
【請求項２６】
前記ダウンリンク・フレームは、データ・フィールドを備え、前記装置は、
前記データ・フィールドにおいて前記識別された複数の局の各々に対してデータを含む前記ダウンリンク・フレームを送信するための手段をさらに備え、ここにおいて、前記別個にエンコードされた情報ブロックおよび前記データは、共有無線周波数スペクトル帯域の複数のサブバンドのうちの同じサブバンドにおいて送信される、請求項２２に記載の装置。
【請求項２７】
前記第２のシグナリング・フィールドおよび前記第１のシグナリング・フィールドの前記第１のセグメントの各々において同じ遅延拡散保護メカニズムを使用するための手段をさらに備える、請求項２２に記載の装置。
【請求項２８】
前記同じ遅延拡散保護メカニズムは、時間領域反復、または周波数領域反復、またはそれらの組み合わせを備える、請求項２７に記載の装置。
【請求項２９】
前記第１のシグナリング・フィールドの前記第１のセグメントにおける遅延拡散保護メカニズムの使用を、前記ダウンリンク・フレームのレガシ・シグナリング情報において、指示するための手段をさらに備える、請求項２２に記載の装置。
【請求項３０】
前記第１のシグナリング・フィールドの１つの直交周波数分割多重（ＯＦＤＭ）シンボル内で前記別個にエンコードされた情報ブロックを送信するための手段をさらに備える、請求項２２に記載の装置。
【請求項３１】
共有無線周波数スペクトル帯域の複数のサブバンドのうちの少なくとも１つのサブバンドにおいて前記別個にエンコードされた情報ブロックを送信するための手段をさらに備える、請求項３０に記載の装置。
【請求項３２】
前記複数のサブバンドのうちの各サブバンドは、２０メガヘルツ（ＭＨｚ）の帯域幅を有する、請求項３１に記載の装置。
【請求項３３】
前記第２のセグメントは、前記識別された複数の局のうちの少なくとも別の局に関する追加の別個にエンコードされた情報ブロックを備え、前記装置は、
前記１つの追加のＯＦＤＭシンボルにおいて、前記１つのサブバンドにおいて前記追加の別個にエンコードされた情報ブロックを送信するための手段をさらに備える、請求項３１に記載の装置。
【請求項３４】
前記少なくとも１つの局に関する前記別個にエンコードされた情報ブロックを第１の直交周波数分割多重（ＯＦＤＭ）シンボルにマッピングするための手段と、
第２の局に関する第２の別個にエンコードされた情報ブロックを第２のＯＦＤＭシンボルにマッピングするための手段と、前記第２のＯＦＤＭシンボルは、前記第１のＯＦＤＭシンボルに関連付けされた変調および符号化スキーム（ＭＣＳ）とは異なるＭＣＳに関連付けされる、
をさらに備える、請求項２２に記載の装置。
【請求項３５】
共有無線周波数スペクトル帯域の複数のサブバンドのうちの１つのサブバンドにおいて前記別個にエンコードされた情報ブロックを、および前記複数のサブバンドのうちの別のサブバンドにおいて前記第２の別個にエンコードされた情報ブロックを送信するための手段をさらに備える、請求項３４に記載の装置。
【請求項３６】
前記別個にエンコードされた情報ブロックは、第１のサブバンドにおいて送信され、前記装置は、
第３の局に関する第３の別個にエンコードされた情報ブロックを前記第１のＯＦＤＭシンボルおよび複数のサブバンドのうちの前記第１のサブバンドにマッピングするための手段をさらに備える、請求項３４に記載の装置。
【請求項３７】
前記第１のシグナリング・フィールドの前記第２のセグメントにおいて前記別個にエンコードされた情報ブロックを保護するために遅延拡散保護メカニズムを使用するための手段をさらに備える、請求項２２に記載の装置。
【請求項３８】
前記遅延拡散保護メカニズムは、周波数領域反復、または延長されたガード・インターバル（ＧＩ）、またはそれらの組み合わせを備える、請求項３７に記載の装置。
【請求項３９】
前記帯域幅情報は、前記少なくとも１つの局を対象とした前記第１のシグナリング・フィールドにおいて前記別個にエンコードされた情報ブロックを識別するために前記識別された複数の局のうちの前記少なくとも１つの局によって使用可能である、請求項２２に記載の装置。
【請求項４０】
前記第２のシグナリング・フィールドは、前記識別された複数の局以外の局によって使用可能である情報を備える、請求項２２に記載の装置。
【請求項４１】
前記別個にエンコードされた情報ブロックを復号するために前記識別された複数の局のうちの前記少なくとも１つの局によって使用可能である情報を、前記第１のシグナリング・フィールドの前記第１のセグメントにおいて、送信するための手段をさらに備える、請求項２２に記載の装置。
【請求項４２】
前記第１のシグナリング・フィールドの前記第１のセグメント、または前記第１のシグナリング・フィールドの前記第２のセグメント、または前記ダウンリンク・フレームの前記第２のシグナリング・フィールド、またはそれらの組み合わせにおいてテール・バイティング畳み込み符号化を使用するための手段をさらに備える、請求項２２に記載の装置。
【請求項４３】
アクセス・ポイントにおけるワイヤレス通信のための装置であって、
プロセッサと、前記プロセッサに通信可能に接続されたメモリと、
を備え、前記メモリは、前記プロセッサによって実行されると、
送信マネージャに、前記アクセス・ポイントからデータを受信すべき複数の局を識別させ、
ダウンリンク・フレーム・ジェネレータに、前記識別された複数の局に前記データを送信するためにダウンリンク・フレームを生成させ、前記ダウンリンク・フレームは、前記識別された複数の局に向けられる第１のシグナリング・フィールドおよび第２のシグナリング・フィールドを備え、前記第１のシグナリング・フィールドは、第１のセグメントおよび第２のセグメントを備え、前記第１のセグメントは、前記識別された複数の局の各々に共通の情報を備え、前記第２のセグメントは、前記識別された複数の局のうちの少なくとも１つの局に関する情報ブロックを備え、前記少なくとも１つの局に関する前記情報ブロックは、前記第１のセグメントから別個にエンコードされ、前記第２のシグナリング・フィールドは、帯域幅情報を含む情報ブロックを備え、前記情報ブロックは、前記第１のシグナリング・フィールドの情報から別個にエンコードされた前記帯域幅情報を含む、
ダウンリンク・フレーム送信機に、前記識別された複数の局に前記ダウンリンク・フレームを送信させる
ためのコンピュータ可読コードを備える、装置。
【請求項４４】
前記シグナリング・フィールドは、ワイヤレス・ローカル・エリア・ネットワーク（ＷＬＡＮ）シグナリング・フィールドである、請求項４３に記載の装置。
【請求項４５】
前記ダウンリンク・フレーム・ジェネレータは、前記識別された複数の局の各々に共通の前記情報を複製し、前記ダウンリンク・フレーム送信機は、共有無線周波数スペクトル帯域の複数のサブバンドのうちの少なくとも２つのサブバンドにおいて前記複製された情報を送信する、請求項４３に記載の装置。
【請求項４６】
前記ダウンリンク・フレーム送信機は、共有無線周波数スペクトル帯域の複数のサブバンドのうちの１つのサブバンドにおいて前記別個にエンコードされた情報ブロックと前記追加の別個にエンコードされた情報ブロックとを含む前記ダウンリンク・フレームを送信する、請求項４３に記載の装置。
【請求項４７】
前記ダウンリンク・フレームは、データ・フィールドを備え、ここにおいて、前記ダウンリンク・フレーム送信機は、前記データ・フィールドにおいて前記識別された複数の局の各々に対してデータを含む前記ダウンリンク・フレームを送信し、ここにおいて、前記別個にエンコードされた情報ブロックおよび前記データは、共有無線周波数スペクトル帯域の複数のサブバンドのうちの同じサブバンドにおいて送信される、請求項４３に記載の装置。
【請求項４８】
前記ダウンリンク・フレーム送信機は、前記第１のシグナリング・フィールドの１つの直交周波数分割多重（ＯＦＤＭ）シンボル内で前記別個にエンコードされた情報ブロックを送信する、請求項４３に記載の装置。
【請求項４９】
前記ダウンリンク・フレーム送信機は、共有無線周波数スペクトル帯域の複数のサブバンドのうちの１つのサブバンドにおいて前記別個にエンコードされた情報ブロックの各々を送信する、請求項４８に記載の装置。
【請求項５０】
前記第２のセグメントは、前記識別された複数の局のうちの少なくとも別の局に関する追加の別個にエンコードされた情報ブロックを備え、前記ダウンリンク・フレーム送信機は、前記１つのＯＦＤＭシンボルにおいて前記追加の別個にエンコードされた情報ブロックを送信する、請求項４９に記載の装置。
【請求項５１】
前記ダウンリンク・フレーム送信機は、前記少なくとも１つの局に関する前記別個にエンコードされた情報ブロックを第１の直交周波数分割多重（ＯＦＤＭ）シンボルにマッピングし、第２の局に関する第２の別個にエンコードされた情報ブロックを第２のＯＦＤＭシンボルにマッピングし、前記第２のＯＦＤＭシンボルは、前記第１のＯＦＤＭシンボルに関連付けされた変調および符号化スキーム（ＭＣＳ）とは異なるＭＣＳに関連付けされる、請求項４３に記載の装置。
【請求項５２】
前記ダウンリンク・フレーム送信機は、前記識別された複数の局以外の局によって使用可能である情報を、前記ダウンリンク・フレームの前記第２のシグナリング・フィールドにおいて、送信する、請求項４３に記載の装置。
【請求項５３】
アクセス・ポイントにおけるワイヤレス通信のためのコンピュータ実行可能コードを記憶する非一時的コンピュータ可読媒体であって、前記コードは、
前記アクセス・ポイントからデータを受信すべき複数の局を識別することと、
前記識別された複数の局に前記データを送信するためにダウンリンク・フレームを生成することと、前記ダウンリンク・フレームは、前記識別された複数の局に向けられる第１のシグナリング・フィールドおよび第２のシグナリング・フィールドを備え、前記第１のシグナリング・フィールドは、第１のセグメントおよび第２のセグメントを備え、前記第１のセグメントは、前記識別された複数の局の各々に共通の情報を備え、前記第２のセグメントは、前記識別された複数の局のうちの少なくとも１つの局に関する情報ブロックを備え、前記少なくとも１つの局に関する前記情報ブロックは、前記第１のセグメントから別個にエンコードされ、前記第２のシグナリング・フィールドは、帯域幅情報を含む情報ブロックを備え、前記情報ブロックは、前記第１のシグナリング・フィールドの情報から別個にエンコードされた前記帯域幅情報を含む、
前記識別された複数の局に前記ダウンリンク・フレームを送信することと、
を行うようにプロセッサによって実行可能である、非一時的コンピュータ可読媒体。
【請求項５４】
前記ダウンリンク・フレームを送信するように前記プロセッサによって実行可能な前記コードは、共有無線周波数スペクトル帯域の複数のサブバンドのうちの１つのサブバンドにおいて前記別個にエンコードされた情報ブロックと追加の別個にエンコードされた情報ブロックとを含む前記ダウンリンク・フレームを送信するように前記プロセッサによって実行可能なコードを備える、請求項５３に記載の非一時的コンピュータ可読媒体。
【請求項５５】
局におけるワイヤレス通信のための方法であって、
共有無線周波数スペクトル帯域においてダウンリンク・フレームを受信することと、前記ダウンリンク・フレームは、少なくとも第１のシグナリング・フィールドおよび第２のシグナリング・フィールドを備え、前記第２のシグナリング・フィールドは、複数の局に共通の情報を有する第１のセグメントおよび前記複数の局のうちの少なくとも１つの局に関する情報ブロックを有する第２のセグメントを備え、前記少なくとも１つの局に関する前記情報ブロックは、前記第１のセグメントから別個にエンコードされ、前記第１のシグナリング・フィールドは、帯域幅情報を含む情報ブロックを備え、前記情報ブロックは、前記第２のシグナリング・フィールドの情報から別個にエンコードされた前記帯域幅情報を含み、前記少なくとも１つの局は、前記局を含む、
前記第２のシグナリング・フィールドの前記第１のセグメントにおいて受信される情報を使用して前記局に関する前記別個にエンコードされた情報ブロックを復号することと、
を備える、方法。
【請求項５６】
前記第１のシグナリング・フィールドにおいて受信される情報を使用して前記局に関する前記別個にエンコードされた情報ブロックを復号することをさらに備える、請求項５５に記載の方法。
【請求項５７】
共有無線周波数スペクトル帯域の複数のサブバンドのうちの少なくとも２つのサブバンドにおいて前記複数の局に共通の情報を受信することをさらに備える、請求項５５に記載の方法。
【請求項５８】
共有無線周波数スペクトル帯域の複数のサブバンドのうちの１つのサブバンドにおいて前記別個にエンコードされた情報ブロックと追加の別個にエンコードされた情報ブロックとを含む前記ダウンリンク・フレームを受信することをさらに備える、請求項５５に記載の方法。
【請求項５９】
局におけるワイヤレス通信のための装置であって、
共有無線周波数スペクトル帯域においてダウンリンク・フレームを受信するための手段と、前記ダウンリンク・フレームは、少なくとも第１のシグナリング・フィールドおよび第２のシグナリング・フィールドを備え、前記第２のシグナリング・フィールドは、複数の局に共通の情報を有する第１のセグメントおよび前記複数の局のうちの少なくとも１つの局に関する情報ブロックを有する第２のセグメントを備え、前記情報ブロックは、前記第１のセグメントから別個にエンコードされ、前記第１のシグナリング・フィールドは、帯域幅情報を含む情報ブロックを備え、前記情報ブロックは、前記第２のシグナリング・フィールドの情報から別個にエンコードされた前記帯域幅情報を含み、前記少なくとも１つの局は、前記局を含む、
前記第２のシグナリング・フィールドの前記第１のセグメントにおいて受信される情報を使用して前記局に関する前記別個にエンコードされた情報ブロックを復号するための手段と、
を備える、装置。
【請求項６０】
前記第１のシグナリング・フィールドにおいて受信される情報を使用して前記局に関する前記別個にエンコードされた情報ブロックを復号するための手段をさらに備える、請求項５９に記載の装置。
【請求項６１】
受信するための前記手段は、共有無線周波数スペクトル帯域の複数のサブバンドのうちの少なくとも２つのサブバンドにおいて前記複数の局に共通の情報を受信するための手段を備える、請求項５９に記載の装置。
【請求項６２】
ダウンリンク・フレームを受信するための前記手段は、共有無線周波数スペクトル帯域の複数のサブバンドのうちの１つのサブバンドにおいて前記別個にエンコードされた情報ブロックと追加の別個にエンコードされた情報ブロックとを含む前記ダウンリンク・フレームを受信するための手段を備える、請求項５９に記載の装置。
【請求項６３】
局におけるワイヤレス通信のための装置であって、
プロセッサと、前記プロセッサに通信可能に接続されたメモリと、
を備え、前記メモリは、前記プロセッサによって実行されると、
ダウンリンク・フレーム・デコーダに、共有無線周波数スペクトル帯域においてダウンリンク・フレームを受信させ、前記ダウンリンク・フレームは、少なくとも第１のワイヤレス・ローカル・エリア・ネットワーク（ＷＬＡＮ）シグナリング・フィールドおよび第２のＷＬＡＮシグナリング・フィールドを備え、前記第１のＷＬＡＮシグナリング・フィールドおよび前記第２のＷＬＡＮシグナリング・フィールドは、別個にエンコードされ、前記第２のＷＬＡＮシグナリング・フィールドは、複数の局に共通の情報を有する第１のセグメントおよび前記複数の局のうちの少なくとも１つの局に関する情報ブロックを有する第２のセグメントを備え、前記情報ブロックは、前記第１のセグメントから別個にエンコードされ、前記第１のシグナリング・フィールドは、帯域幅情報を含む情報ブロックを備え、前記情報ブロックは、前記第２のシグナリング・フィールドの情報から別個にエンコードされた前記帯域幅情報を含み、前記少なくとも１つの局は、前記局を含む、
前記ダウンリンク・フレーム・デコーダに、前記第２のＷＬＡＮシグナリング・フィールドの前記第１のセグメントにおいて受信される情報を使用して前記局に関する前記別個にエンコードされた情報ブロックを復号させる
ためのコンピュータ可読コードを備える、装置。
【請求項６４】
前記ダウンリンク・フレーム・デコーダは、前記第１のシグナリング・フィールドにおいて受信される情報を使用して前記局に関する前記別個にエンコードされた情報ブロックをさらに復号する、請求項６３に記載の装置。
【請求項６５】
前記ダウンリンク・フレーム・デコーダはさらに、共有無線周波数スペクトル帯域の複数のサブバンドのうちの少なくとも２つのサブバンドにおいて前記複数の局に共通の情報を受信するためのものである、請求項６３に記載の装置。
【請求項６６】
前記ダウンリンク・フレーム・デコーダはさらに、共有無線周波数スペクトル帯域の複数のサブバンドのうちの１つのサブバンドにおいて前記別個にエンコードされた情報ブロックと追加の別個にエンコードされた情報ブロックとを含む前記ダウンリンク・フレームを受信するためのものである、請求項６３に記載の装置。
【請求項６７】
局におけるワイヤレス通信のためのコンピュータ実行可能コードを記憶する非一時的コンピュータ可読媒体であって、前記コードは、
共有無線周波数スペクトル帯域においてダウンリンク・フレームを受信することと、前記ダウンリンク・フレームは、少なくとも第１のシグナリング・フィールドおよび第２のシグナリング・フィールドを備え、前記第１のシグナリング・フィールドおよび前記第２のシグナリング・フィールドは、別個にエンコードされ、前記第２のシグナリング・フィールドは、複数の局に共通の情報を有する第１のセグメントおよび前記複数の局のうちの少なくとも１つの局に関する情報ブロックを有する第２のセグメントを備え、前記情報ブロックは、前記第１のセグメントから別個にエンコードされ、前記第１のシグナリング・フィールドは、帯域幅情報を含む情報ブロックを備え、前記情報ブロックは、前記第２のシグナリング・フィールドの情報から別個にエンコードされた前記帯域幅情報を含み、前記少なくとも１つの局は、前記局を含む、
前記第２のシグナリング・フィールドの前記第１のセグメントにおいて受信される情報を使用して前記局に関する前記別個にエンコードされた情報ブロックを復号することと、
を行うようにプロセッサによって実行可能である、非一時的コンピュータ可読媒体。
【請求項６８】
ダウンリンク・フレームを受信するように前記プロセッサによって実行可能な前記コードは、共有無線周波数スペクトル帯域の複数のサブバンドのうちの少なくとも２つのサブバンドにおいて前記複数の局に共通の情報を受信するように前記プロセッサによって実行可能なコードを備える、請求項６７に記載の非一時的コンピュータ可読媒体。
【請求項６９】
ダウンリンク・フレームを受信するように前記プロセッサによって実行可能な前記コードは、共有無線周波数スペクトル帯域の複数のサブバンドのうちの１つのサブバンドにおいて前記別個にエンコードされた情報ブロックと追加の別個にエンコードされた情報ブロックとを含む前記ダウンリンク・フレームを受信するように前記プロセッサによって実行可能なコードを備える、請求項６７に記載の非一時的コンピュータ可読媒体。
【請求項７０】
前記コードは、前記識別された複数の局の各々に共通の前記情報を複製することと、共有無線周波数スペクトル帯域の複数のサブバンドのうちの少なくとも２つのサブバンドにおいて前記複製された情報を送信することとを行うように前記プロセッサによってさらに実行可能である、請求項５３に記載の非一時的コンピュータ可読媒体。
【手続補正２】
【補正対象書類名】明細書
【補正対象項目名】０１１５
【補正方法】変更
【補正の内容】
【０１１５】
[0126]  本開示の先の説明は、当業者が本開示を製造または使用することを可能にするために提供される。本開示に対するさまざまな修正は、当業者にとって容易に明らかとなり、本書で定義された包括的な原理は、本開示の範囲から逸脱しないで他の変形に適用され得る。本開示全体を通じて、「例（example）」または「例証的（exemplary）」という用語は、例または事例を示し、言及された例についてのいかなる選好または暗示も必要とはしない。かくして、本開示は、ここに説明された例および設計に限定されるべきではなく、ここに開示された原理および新規な特徴と一致する最も広い範囲を与えられるべきである。
以下に本願の出願当初の特許請求の範囲に記載された発明を付記する。
［Ｃ１］
アクセス・ポイントにおけるワイヤレス通信のための方法であって、
前記アクセス・ポイントからデータを受信すべき複数の局を識別することと、
前記識別された複数の局に前記データを送信するためにダウンリンク・フレームを生成することと、前記ダウンリンク・フレームは、前記識別された複数の局に向けられる第１のシグナリング・フィールドを備え、前記第１のシグナリング・フィールドは、第１のセグメントおよび第２のセグメントを備え、前記第１のセグメントは、前記識別された複数の局の各々に共通の情報を備え、前記第２のセグメントは、少なくとも１つの情報ブロックを備える、
前記識別された複数の局に前記ダウンリンク・フレームを送信することと、
を備える、方法。
［Ｃ２］
前記ダウンリンク・フレームを生成することは、前記識別された複数の局の各々に関して各情報ブロックを別個にエンコードすることを備える、Ｃ１に記載の方法。
［Ｃ３］
前記識別された複数の局の各々に共通の前記情報を複製することと、
共有無線周波数スペクトル帯域の複数のサブバンドの各々において前記複製された情報を送信することと、をさらに備える、Ｃ１に記載の方法。
［Ｃ４］
共有無線周波数スペクトル帯域の１つのサブバンドにおいて前記別個にエンコードされた情報ブロックの各々を送信することをさらに備える、Ｃ２に記載の方法。
［Ｃ５］
前記ダウンリンク・フレームは、データ・フィールドを備え、前記方法は、
前記データ・フィールドにおいて前記識別された複数の局の各々に対してデータを送信することをさらに備え、ここにおいて、前記別個にエンコードされた情報ブロックおよび前記データは、共有無線周波数スペクトル帯域の同じサブバンドにおいて送信される、Ｃ２に記載の方法。
［Ｃ６］
前記シグナリング・フィールドは、ワイヤレス・ローカル・エリア・ネットワーク（ＷＬＡＮ）シグナリング・フィールドである、Ｃ１に記載の方法。
［Ｃ７］
前記ダウンリンク・フレームは、前記第１のシグナリング・フィールドから別個にエンコードされる第２のシグナリング・フィールドをさらに備え、前記方法は、
前記第２のシグナリング・フィールドおよび前記第１のシグナリング・フィールドの前記第１のセグメントの各々において同じ遅延拡散保護メカニズムを使用すること、をさらに備える、Ｃ１に記載の方法。
［Ｃ８］
前記同じ遅延拡散保護メカニズムは、時間領域反復、または周波数領域反復、またはそれらの組み合わせを備える、Ｃ７に記載の方法。
［Ｃ９］
前記第１のシグナリング・フィールドの前記第１のセグメントにおいて遅延拡散保護メカニズムの使用を、前記ダウンリンク・フレームのレガシ・シグナリング情報において、指示することをさらに備える、Ｃ１に記載の方法。
［Ｃ１０］
前記第１のシグナリング・フィールドの１つの直交周波数分割多重（ＯＦＤＭ）シンボル内で前記別個にエンコードされた情報ブロックの各々を送信することをさらに備える、Ｃ２に記載の方法。
［Ｃ１１］
共有無線周波数スペクトル帯域の１つのサブバンドにおいて前記別個にエンコードされた情報ブロックの各々を送信することをさらに備える、Ｃ１０に記載の方法。
［Ｃ１２］
別個にエンコードされた情報ブロックが送信される各サブバンドは、２０メガヘルツ（ＭＨｚ）の帯域幅を有する、Ｃ１１に記載の方法。
［Ｃ１３］
少なくとも１つのＯＦＤＭシンボルにおいて少なくとも２つの別個にエンコードされた情報ブロックを送信することをさらに備える、Ｃ１１に記載の方法。
［Ｃ１４］
前記第１のシグナリング・フィールドは、第１の変調および符号化スキーム（ＭＣＳ）に関連付けされた第１のＯＦＤＭシンボルと、前記第１のＭＣＳとは異なる第２のＭＣＳに関連付けされた第２のＯＦＤＭシンボルとを備え、前記方法は、
第１の局に関する第１の別個にエンコードされた情報ブロックを前記第１のＯＦＤＭシンボルにマッピングすることと、
第２の局に関する第２の別個にエンコードされた情報ブロックを前記第２のＯＦＤＭシンボルにマッピングすることと、をさらに備える、Ｃ１０に記載の方法。
［Ｃ１５］
共有無線周波数スペクトル帯域の１つのサブバンドにおいて前記別個にエンコードされた情報ブロックの各々を送信することをさらに備える、Ｃ１４に記載の方法。
［Ｃ１６］
前記第１の別個にエンコードされた情報ブロックは、第１のサブバンドにおいて送信され、前記方法は、
第３の局に関して第３の別個にエンコードされた情報ブロックを、前記第１のＯＦＤＭシンボルおよび前記第１のサブバンドにマッピングすることをさらに備える、Ｃ１５に記載の方法。
［Ｃ１７］
前記第１のシグナリング・フィールドの前記第２のセグメントにおいて各々別個にエンコードされた情報ブロックを保護するために遅延拡散保護メカニズムを使用することをさらに備える、Ｃ２に記載の方法。
［Ｃ１８］
前記遅延拡散保護メカニズムは、周波数領域反復、または延長されたガード・インターバル（ＧＩ）、またはそれらの組み合わせを備える、Ｃ１７に記載の方法。
［Ｃ１９］
局を対象とした前記第１のシグナリング・フィールドにおいて別個にエンコードされた情報ブロックを識別するために前記局によって使用される帯域幅情報を、第２のシグナリング・フィールドにおいて、シグナリングすることを、さらに備える、Ｃ２に記載の方法。
［Ｃ２０］
前記識別された複数の局以外の局によって使用可能である情報を、第２のシグナリング・フィールドにおいて送信することをさらに備える、Ｃ１に記載の方法。
［Ｃ２１］
前記別個にエンコードされた情報ブロックを復号するために前記識別された複数の局によって使用可能である情報を、前記第１のシグナリング・フィールドの前記第１のセグメントにおいて送信することをさらに備える、Ｃ２に記載の方法。
［Ｃ２２］
前記第１のシグナリング・フィールドの前記第１のセグメント、または前記第１のシグナリング・フィールドの前記第２のセグメント、または、第２のシグナリング・フィールド、またはそれらの組み合わせにおいてテール・バイティング畳み込み符号化を使用することを、さらに備える、Ｃ１に記載の方法。
［Ｃ２３］
アクセス・ポイントにおけるワイヤレス通信のための装置であって、
前記アクセス・ポイントからデータを受信すべき複数の局を識別するための手段と、
前記識別された複数の局に前記データを送信するためにダウンリンク・フレームを生成するための手段と、前記ダウンリンク・フレームは、前記識別された複数の局に向けられる第１のシグナリング・フィールドを備え、前記第１のシグナリング・フィールドは、第１のセグメントおよび第２のセグメントを備え、前記第１のセグメントは、前記識別された複数の局の各々に共通の情報を備え、前記第２のセグメントは、少なくとも１つの情報ブロックを備える、
前記識別された複数の局に前記ダウンリンク・フレームを送信するための手段と、備える、装置。
［Ｃ２４］
前記ダウンリンク・フレームを生成するための前記手段は、前記識別された複数の局の各々に関して各情報ブロックを別個にエンコードするための手段を備える、Ｃ２３に記載の装置。
［Ｃ２５］
前記シグナリング・フィールドは、ワイヤレス・ローカル・エリア・ネットワーク（ＷＬＡＮ）シグナリング・フィールドである、Ｃ２３に記載の装置。
［Ｃ２６］
前記識別された複数の局の各々に共通の前記情報を複製するための手段と、
共有無線周波数スペクトル帯域の複数のサブバンドの各々において前記複製された情報を送信するための手段と、をさらに備える、Ｃ２３に記載の装置。
［Ｃ２７］
共有無線周波数スペクトル帯域の１つのサブバンドにおいて前記別個にエンコードされた情報ブロックの各々を送信するための手段をさらに備える、Ｃ２４に記載の装置。
［Ｃ２８］
前記ダウンリンク・フレームは、データ・フィールドを備え、前記装置は、
前記データ・フィールドにおいて前記識別された複数の局の各々に対してデータを送信するための手段をさらに備え、ここにおいて、前記別個にエンコードされた情報ブロックおよび前記データは、共有無線周波数スペクトル帯域の同じサブバンドにおいて送信される、Ｃ２４に記載の装置。
［Ｃ２９］
前記ダウンリンク・フレームは、前記１のシグナリング・フィールドから別個にエンコードされる第２のシグナリング・フィールドをさらに備え、前記装置は、
前記第２のシグナリング・フィールドおよび前記第１のシグナリング・フィールドの前記第１のセグメントの各々において同じ遅延拡散保護メカニズムを使用するための手段をさらに備える、Ｃ２３に記載の装置。
［Ｃ３０］
前記同じ遅延拡散保護メカニズムは、時間領域反復、または周波数領域反復、またはそれらの組み合わせを備える、Ｃ２９に記載の装置。
［Ｃ３１］
前記第１のシグナリング・フィールドの前記第１のセグメントにおける遅延拡散保護メカニズムの使用を、前記ダウンリンク・フレームのレガシ・シグナリング情報において、指示するための手段をさらに備える、Ｃ２３に記載の装置。
［Ｃ３２］
前記第１のシグナリング・フィールドの１つの直交周波数分割多重（ＯＦＤＭ）シンボル内で前記別個にエンコードされた情報ブロックの各々を送信するための手段をさらに備える、Ｃ２４に記載の装置。
［Ｃ３３］
共有無線周波数スペクトル帯域の１つのサブバンドにおいて前記別個にエンコードされた情報ブロックの各々を送信するための手段をさらに備える、Ｃ３２に記載の装置。
［Ｃ３４］
別個にエンコードされた情報ブロックが送信される各サブバンドは、２０メガヘルツ（ＭＨｚ）の帯域幅を有する、Ｃ３３に記載の装置。
［Ｃ３５］
少なくとも１つのＯＦＤＭシンボルにおいて少なくとも２つの別個にエンコードされた情報ブロックを送信するための手段をさらに備える、Ｃ３３に記載の装置。
［Ｃ３６］
前記第１のシグナリング・フィールドは、第１の変調および符号化スキーム（ＭＣＳ）に関連付けされた第１のＯＦＤＭシンボルと、前記第１のＭＣＳとは異なる第２のＭＣＳに関連付けされた第２のＯＦＤＭシンボルとを備え、前記装置は、
第１の局に関する第１の別個にエンコードされた情報ブロックを前記第１のＯＦＤＭシンボルにマッピングするための手段と、
第２の局に関する第２の別個にエンコードされた情報ブロックを前記第２のＯＦＤＭシンボルにマッピングするための手段と、をさらに備える、Ｃ３２に記載の装置。
［Ｃ３７］
共有無線周波数スペクトル帯域の１つのサブバンドにおいて前記別個にエンコードされた情報ブロックの各々を送信するための手段をさらに備える、Ｃ３６に記載の装置。
［Ｃ３８］
前記第１の別個にエンコードされた情報ブロックは、第１のサブバンドにおいて送信され、前記装置は、
第３の局に関する第３の別個にエンコードされた情報ブロックを前記第１のＯＦＤＭシンボルおよび前記第１のサブバンドにマッピングするための手段をさらに備える、Ｃ３７に記載の装置。
［Ｃ３９］
前記第１のシグナリング・フィールドの前記第２のセグメントにおいて各別個にエンコードされた情報ブロックを保護するために遅延拡散保護メカニズムを使用するための手段をさらに備える、Ｃ２４に記載の装置。
［Ｃ４０］
前記遅延拡散保護メカニズムは、周波数領域反復、または延長されたガード・インターバル（ＧＩ）、またはそれらの組み合わせを備える、Ｃ３９に記載の装置。
［Ｃ４１］
局を対象とした前記第１のシグナリング・フィールドにおいて別個にエンコードされた情報ブロックを識別するために前記局によって使用される帯域幅情報を、第２のシグナリング・フィールドにおいて、シグナリングするための手段を、さらに備える、Ｃ２３に記載の装置。
［Ｃ４２］
前記識別された複数の局以外の局によって使用可能である情報を、第２のシグナリング・フィールドにおいて、送信するための手段をさらに備える、Ｃ２３に記載の装置。
［Ｃ４３］
前記別個にエンコードされた情報ブロックを復号するために前記識別された複数の局によって使用可能である情報を、前記第１のシグナリング・フィールドの前記第１のセグメントにおいて、送信するための手段をさらに備える、Ｃ２４に記載の装置。
［Ｃ４４］
前記第１のシグナリング・フィールドの前記第１のセグメント、または前記第１のシグナリング・フィールドの前記第２のセグメント、または第２のシグナリング・フィールド、またはそれらの組み合わせにおいてテール・バイティング畳み込み符号化を使用するための手段をさらに備える、Ｃ２３に記載の装置。
［Ｃ４５］
アクセス・ポイントにおけるワイヤレス通信のための装置であって、
前記アクセス・ポイントからデータを受信すべき複数の局を識別するための送信マネージャと、
前記識別された複数の局に前記データを送信するためにダウンリンク・フレームを生成するためのダウンリンク・フレーム・ジェネレータと、前記ダウンリンク・フレームは、前記識別された複数の局に向けられる第１のシグナリング・フィールドを備え、前記第１のシグナリング・フィールドは、第１のセグメントおよび第２のセグメントを備え、前記第１のセグメントは、前記識別された複数の局の各々に共通の情報を備え、前記第２のセグメントは、少なくとも１つの情報ブロックを備える、
前記識別された複数の局に前記ダウンリンク・フレームを送信するためのダウンリンク・フレーム送信機と、
を備える、装置。
［Ｃ４６］
前記ダウンリンク・フレーム・ジェネレータは、前記識別された複数の局の各々に関して各情報ブロックを別個にエンコードする、Ｃ４５に記載の装置。
［Ｃ４７］
前記シグナリング・フィールドは、ワイヤレス・ローカル・エリア・ネットワーク（ＷＬＡＮ）シグナリング・フィールドである、Ｃ４５に記載の装置。
［Ｃ４８］
前記ダウンリンク・フレーム・ジェネレータは、前記識別された複数の局の各々に共通の前記情報を複製し、前記ダウンリンク・フレーム送信機は、共有無線周波数スペクトル帯域の複数のサブバンドの各々において前記複製された情報を送信する、Ｃ４５に記載の装置。
［Ｃ４９］
前記ダウンリンク・フレーム送信機は、共有無線周波数スペクトル帯域の１つのサブバンドにおいて前記別個にエンコードされた情報ブロックの各々を送信する、Ｃ４６に記載の装置。
［Ｃ５０］
前記ダウンリンク・フレームは、データ・フィールドを備え、ここにおいて、前記ダウンリンク・フレーム送信機は、前記データ・フィールドにおいて前記識別された複数の局の各々に対してデータを送信し、ここにおいて、前記別個にエンコードされた情報ブロックおよび前記データは、共有無線周波数スペクトル帯域の同じサブバンドにおいて送信される、Ｃ４６に記載の装置。
［Ｃ５１］
前記ダウンリンク・フレーム送信機は、前記第１のシグナリング・フィールドの１つの直交周波数分割多重（ＯＦＤＭ）シンボル内で前記別個にエンコードされた情報ブロックの各々を送信する、Ｃ４６に記載の装置。
［Ｃ５２］
前記ダウンリンク・フレーム送信機は、共有無線周波数スペクトル帯域の１つのサブバンドにおいて前記別個にエンコードされた情報ブロックの各々を送信する、Ｃ５１に記載の装置。
［Ｃ５３］
前記ダウンリンク・フレーム送信機は、少なくとも１つのＯＦＤＭシンボルにおいて少なくとも２つの別個にエンコードされた情報ブロックを送信する、Ｃ５２に記載の装置。
［Ｃ５４］
前記第１のシグナリング・フィールドは、第１の変調および符号化スキーム（ＭＣＳ）に関連付けされた第１のＯＦＤＭシンボルと、前記第１のＭＣＳとは異なる第２のＭＣＳに関連付けされた第２のＯＦＤＭシンボルとを備え、ここにおいて、前記ダウンリンク・フレーム送信機は、第１の局に関する第１の別個にエンコードされた情報ブロックを前記第１のＯＦＤＭシンボルにマッピングし、第２の局に関する第２の別個にエンコードされた情報ブロックを前記第２のＯＦＤＭシンボルにマッピングする、Ｃ５１に記載の装置。
［Ｃ５５］
前記ダウンリンク・フレーム送信機は、前記識別された複数の局以外の局によって使用可能である情報を、第２のシグナリング・フィールドにおいて、送信する、Ｃ４５に記載の装置。
［Ｃ５６］
アクセス・ポイントにおいてワイヤレス通信のためのコンピュータ実行可能コードを記憶する非一時的コンピュータ可読媒体であって、前記コードは、
前記アクセス・ポイントからデータを受信すべき複数の局を識別することと、
前記識別された複数の局に前記データを送信するためにダウンリンク・フレームを生成することと、前記ダウンリンク・フレームは、前記識別された複数の局に向けられる第１のシグナリング・フィールドを備え、前記第１のシグナリング・フィールドは、第１のセグメントおよび第２のセグメントを備え、前記第１のセグメントは、前記識別された複数の局の各々に共通の情報を備え、前記第２のセグメントは、少なくとも１つの情報ブロックを備える、
前記識別された複数の局に前記ダウンリンク・フレームを送信することと、
を行うようにプロセッサによって実行可能である、非一時的なコンピュータ可読媒体。
［Ｃ５７］
前記コードは、前記識別された複数の局の各々に関して各情報ブロックを別個にエンコードすることを実行可能である、Ｃ５６に記載の非一時的なコンピュータ可読媒体。
［Ｃ５８］
前記シグナリング・フィールドは、ワイヤレス・ローカル・エリア・ネットワーク（ＷＬＡＮ）シグナリング・フィールドである、Ｃ５６に記載の非一時的なコンピュータ可読媒体。
［Ｃ５９］
局におけるワイヤレス通信のための方法であって、
共有無線周波数スペクトル帯域においてダウンリンク・フレームを受信することと、前記ダウンリンク・フレームは、少なくとも第１のシグナリング・フィールドおよび第２のシグナリング・フィールドを備え、前記第２のシグナリング・フィールドは、複数の局に共通の情報を有する第１のセグメントおよび前記複数の局の各々に関して別個にエンコードされた情報ブロックを有する第２のセグメントを備える、
前記第２のシグナリング・フィールドの前記第１のセグメントにおいて受信される情報を使用して前記局に関して別個にエンコードされた情報ブロックを復号することと、
を備える、方法。
［Ｃ６０］
前記第１および第２のシグナリング・フィールドは、ワイヤレス・ローカル・エリア・ネットワーク（ＷＬＡＮ）シグナリング・フィールドである、Ｃ５９に記載の方法。
［Ｃ６１］
前記第１のシグナリング・フィールドにおいて受信される情報を使用して前記別個にエンコードされた情報ブロックを復号することと、をさらに備える、Ｃ５９に記載の方法。
［Ｃ６２］
局におけるワイヤレス通信のための装置であって、
共有無線周波数スペクトル帯域においてダウンリンク・フレームを受信するための手段と、前記ダウンリンク・フレームは、少なくとも第１のシグナリング・フィールドおよび第２のシグナリング・フィールドを備え、前記第２のシグナリング・フィールドは、複数の局に共通の情報を有する第１のセグメントおよび前記複数の局の各々に関して別個にエンコードされた情報ブロックを有する第２のセグメントを備える、
前記第２のシグナリング・フィールドの前記第１のセグメントにおいて受信される情報を使用して前記局に関して別個にエンコードされた情報ブロックを復号するための手段と、
を備える、装置。
［Ｃ６３］
前記第１および第２のシグナリング・フィールドは、ワイヤレス・ローカル・エリア・ネットワーク（ＷＬＡＮ）シグナリング・フィールドである、Ｃ６２に記載の装置。
［Ｃ６４］
前記第１のシグナリング・フィールドにおいて受信される情報を使用して前記別個にエンコードされた情報ブロックを復号するための手段をさらに備える、Ｃ６２に記載の装置。
［Ｃ６５］
局におけるワイヤレス通信のための装置であって、
共有無線周波数スペクトル帯域においてダウンリンク・フレームを受信するためのダウンリンク・フレーム・デコーダを備え、前記ダウンリンク・フレームは、少なくとも第１のワイヤレス・ローカル・エリア・ネットワーク（ＷＬＡＮ）シグナリング・フィールドおよび第２のＷＬＡＮシグナリング・フィールドを備え、前記第１のＷＬＡＮシグナリング・フィールドおよび前記第２のＷＬＡＮシグナリング・フィールドは、別個にエンコードされ、前記第２のＷＬＡＮシグナリング・フィールドは、複数の局に共通の情報を有する第１のセグメントおよび前記複数の局の各々に関して別個にエンコードされた情報ブロックを有する第２のセグメントを備える、
ここにおいて、前記ダウンリンク・フレーム・デコーダは、前記第２のＷＬＡＮシグナリング・フィールドの前記第１のセグメントにおいて受信される情報を使用して前記局に関して別個にエンコードされた情報ブロックを復号する、
装置。
［Ｃ６６］
前記第１および第２のシグナリング・フィールドは、ワイヤレス・ローカル・エリア・ネットワーク（ＷＬＡＮ）シグナリング・フィールドである、Ｃ６５に記載の装置。
［Ｃ６７］
前記ダウンリンク・フレーム・デコーダは、前記第１のシグナリング・フィールドにおいて受信される情報を使用して前記別個にエンコードされた情報ブロックをさらに復号する、Ｃ６５に記載の装置。
［Ｃ６８］
局におけるワイヤレス通信のためのコンピュータ実行可能コードを記憶する非一時的なコンピュータ可読媒体であって、前記コードは、
共有無線周波数スペクトル帯域においてダウンリンク・フレームを受信することと、前記ダウンリンク・フレームは、少なくとも第１のシグナリング・フィールドおよび第２のシグナリング・フィールドを備え、前記第１のシグナリング・フィールドおよび前記第２のシグナリング・フィールドは、別個にエンコードされ、前記第２のシグナリング・フィールドは、複数の局に共通の情報を有する第１のセグメントおよび前記複数の局の各々に関して別個にエンコードされた情報ブロックを有する第２のセグメントを備える、
前記第２のシグナリング・フィールドの前記第１のセグメントにおいて受信される情報を使用して前記局に関して別個にエンコードされた情報ブロックを復号することと、
を行うようにプロセッサによって実行可能である、非一時的なコンピュータ可読媒体。
［Ｃ６９］
前記第１および第２のシグナリング・フィールドは、ワイヤレス・ローカル・エリア・ネットワーク（ＷＬＡＮ）シグナリング・フィールドである、Ｃ６８に記載の装置。